(57)【要約】食品加工システムの容器によって選択的に受け入れ可能な食品加工システムの蓋は、蓋本体内にキャビティを画定する蓋本体と、キャビティ内に少なくとも部分的に配置されたロックアセンブリと、蓋本体およびロックアセンブリに関連付けられたアクチュエータとを含む。ロックアセンブリは、アクチュエータに加えられる第１の力の印加に応答して、ロック解除位置からロック位置へと移動可能である。ロックアセンブリは、アクチュエータに加えられる第２の力の印加に応答して、ロック位置からロック解除位置へと移動可能であり、第１の力および第２の力は同じ方向に加えられるものである。
2020505110.tif 000002
【特許請求の範囲】
【請求項１】
食品加工システムの蓋であって、前記蓋は、前記食品加工システムの容器によって選択的に受け入れ可能であり、
蓋本体であって、該蓋本体内にキャビティを画定する蓋本体と、
前記キャビティ内に少なくとも部分的に配置されたロックアセンブリと、
前記蓋本体および前記ロックアセンブリに関連付けられたアクチュエータと
を備え、
前記ロックアセンブリは、前記アクチュエータに加えられる第１の力の印加に応答して、ロック解除位置からロック位置へと移動可能であり、
前記ロックアセンブリは、前記アクチュエータに加えられる第２の力の印加に応答して、前記ロック位置から前記ロック解除位置へと移動可能であり、前記第１の力および前記第２の力は同じ方向に加えられるものである、蓋。
【請求項２】
前記ロックアセンブリは、前記ロック解除位置に向かってばねで付勢されている、請求項１に記載の蓋。
【請求項３】
前記ロックアセンブリは、前記アクチュエータに動作可能に結合された少なくとも１つのロックをさらに含む、請求項１に記載の蓋。
【請求項４】
前記第１の力および前記第２の力の印加により、前記アクチュエータが第１の軸の周りを動き、前記少なくとも１つのロックが、前記第１の軸とは異なる第２の軸の周りを動く、請求項３に記載の蓋。
【請求項５】
前記第１の軸と前記第２の軸とが実質的に直交している、請求項４に記載の蓋。
【請求項６】
前記少なくとも１つのロックは、前記第２の軸の周りを回転するように構成されている、請求項４に記載の蓋。
【請求項７】
前記蓋が前記容器に取り付けられている場合、前記少なくとも１つのロックは、前記食品加工システムのインターロックと係合可能である、請求項３に記載の蓋。
【請求項８】
前記ロックアセンブリが前記ロック解除位置にある場合、前記アクチュエータはハウジングの上面から第１の距離だけオフセットされ、前記ロックアセンブリが前記ロック位置にある場合、前記アクチュエータは前記ハウジングの上面から第２の距離だけオフセットされ、前記第１の距離は、前記第２の距離よりも大きい、請求項３に記載の蓋。
【請求項９】
ロック機構が前記ロック位置にある場合に前記アクチュエータを選択的に保持するための機構をさらに備える、請求項１に記載の蓋。
【請求項１０】
前記蓋は、前記ロックアセンブリがロック位置にある場合およびロック解除位置にある場合の両方において、前記容器によって受け入れ可能である、請求項１に記載の蓋。
【請求項１１】
食品加工アセンブリの容器に蓋を取り付ける方法であって、
アクチュエータが第１の軸に沿って移動するように、前記蓋のアクチュエータに力を印加すること、
ロックの細長い係合部材が前記容器によって受け入れ可能であるように、前記アクチュエータに動作可能に結合されたロックを前記第１の軸とは異なる第２の軸に沿って移動させること、
前記蓋を前記容器に結合すること
を含む方法。
【請求項１２】
前記第１の軸に沿った前記アクチュエータの移動に応答して、前記アクチュエータを作動位置に選択的に保持することをさらに含む、請求項１１に記載の方法。
【請求項１３】
前記蓋を前記容器に結合することは、前記容器の開口部内に前記係合部材を受け入れることをさらに含む、請求項１１に記載の方法。
【請求項１４】
前記開口部内に前記係合部材を受け入れることは、インターロックに力を印加して食品加工システムの電動ユニットに電力を供給することをさらに含む、請求項１３に記載の方法。
【請求項１５】
前記蓋を前記容器に結合することは、ロックアセンブリの前記アクチュエータに前記力を印加する前に行われる、請求項１１に記載の方法。
【請求項１６】
前記蓋を前記容器に結合することは、ロックアセンブリの前記アクチュエータに前記力を印加するのと同時に、または後に行われる、請求項１１に記載の方法。
【請求項１７】
前記蓋を前記容器に結合することは、前記細長い係合部材が前記容器によって受け入れ可能であるように、前記ロックが移動された後に行われる、請求項１１に記載の方法。
【請求項１８】
前記アクチュエータに別の力を印加して、前記蓋を前記容器からロック解除することをさらに含み、前記別の力および前記力は同じ方向に向けられたものである、請求項１１に記載の方法。
【請求項１９】
前記アクチュエータを前記第１の軸に沿って移動させることは、可視インジケータを露出させるかまたは隠す、請求項１２に記載の方法。
【請求項２０】
食品加工システムであって、
基部と、
前記基部に選択的に結合するための容器であって、処理されるべき食品を受け入れるように寸法決めされている前記容器と、
前記容器に選択的に結合するための蓋であって、アクチュエータおよびロックアセンブリを含む前記蓋と
を備え、
前記ロックアセンブリは、前記アクチュエータへの第１の力の印加に応答して、ロック解除位置からロック位置へと移動可能であり、
前記ロックアセンブリは、前記アクチュエータへの第２の力の印加に応答して、前記ロック位置から前記ロック解除位置へと移動可能であり、前記第１の力および前記第２の力は同じ方向に印加されるものである、システム。
【発明の詳細な説明】
【技術分野】
【０００１】
本開示は、概して食品加工システムに関し、より詳細には、食品加工システムの容器と食品加工システムの蓋との間の接続に関する。
【背景技術】
【０００２】
食品を混合、切断、攪拌、およびその他の方法で加工するように設計された様々な種類のフードプロセッサが利用可能である。あるタイプの従来のフードプロセッサは、容器、蓋、および容器の底部に近接して配置された回転刃を含む。フードプロセッサは、モータを収容する基部をさらに含む。容器が基部上に置かれると、モータは、回転刃を軸の周りで駆動して、容器内の食品を混合、切断、または攪拌するように構成されている。
【発明の概要】
【０００３】
一実施形態によれば、食品加工システムの容器によって選択的に受け入れ可能な食品加工システムの蓋は、蓋本体内にキャビティを画定する蓋本体と、キャビティ内に少なくとも部分的に配置されたロックアセンブリと、蓋本体およびロックアセンブリに関連付けられたアクチュエータとを含む。ロックアセンブリは、アクチュエータに加えられる第１の力の印加に応答して、ロック解除位置からロック位置へと移動可能である。ロックアセンブリは、アクチュエータに加えられる第２の力の印加に応答して、ロック位置からロック解除位置へと移動可能であり、第１の力および第２の力は同じ方向に加えられるものである。
【０００４】
上記の特徴のうちの１つまたは複数に加えて、または代替として、さらなる実施形態では、ロックアセンブリは、ロック解除位置に向かってばねで付勢されている。
上記の特徴のうちの１つまたは複数に加えて、または代替として、さらなる実施形態では、ロックアセンブリは、アクチュエータに動作可能に結合された少なくとも１つのロックをさらに含む。
【０００５】
上記の特徴のうちの１つまたは複数に加えて、または代替として、さらなる実施形態では、第１の力および第２の力の印加により、アクチュエータが第１の軸の周りを動き、少なくとも１つのロックが第１の軸とは異なる第２の軸の周りを動く。
【０００６】
上記の特徴のうちの１つまたは複数に加えて、または代替として、さらなる実施形態では、第１の軸および第２の軸は実質的に直交している。
上記の特徴のうちの１つまたは複数に加えて、または代替として、さらなる実施形態では、少なくとも１つのロックは、第２の軸の周りを回転するように構成されている。
【０００７】
上記の特徴のうちの１つまたは複数に加えて、または代替として、さらなる実施形態では、蓋が容器に取り付けられる場合、少なくとも１つのロックは、食品加工システムのインターロックと係合可能である。
【０００８】
上記の特徴のうちの１つまたは複数に加えて、または代替として、さらなる実施形態では、ロックアセンブリがロック解除位置にある場合、アクチュエータはハウジングの上面から第１の距離だけオフセットされ、ロックアセンブリがロック位置にある場合、アクチュエータはハウジングの上面から第２の距離だけオフセットされ、第１の距離は、第２の距離よりも大きい。
【０００９】
上記の特徴のうちの１つまたは複数に加えて、または代替として、さらなる実施形態では、ロック機構がロック位置にある場合にアクチュエータを選択的に保持するための機構を備える。
【００１０】
上記の特徴のうちの１つまたは複数に加えて、または代替として、さらなる実施形態では、蓋は、ロックアセンブリがロック位置にある場合およびロック解除位置にある場合の両方において、容器によって受け入れ可能である。
【００１１】
別の実施形態によれば、食品加工アセンブリの容器に蓋を取り付ける方法は、アクチュエータが第１の軸に沿って移動するように力を蓋のアクチュエータに印加すること、ロックの細長い係合部材が容器によって受け入れ可能であるように、アクチュエータに動作可能に結合されたロックを第１の軸とは異なる第２の軸に沿って移動させること、蓋を容器に結合することを含む。
【００１２】
上記の特徴のうちの１つまたは複数に加えて、または代替として、さらなる実施形態では、第１の軸に沿ったアクチュエータの移動に応答して、アクチュエータを作動位置に選択的に保持することを含む。
【００１３】
上記の特徴のうちの１つまたは複数に加えて、または代替として、さらなる実施形態では、蓋を容器に結合することは、容器の開口部内に係合部材を受け入れることをさらに含む。
【００１４】
上記の特徴のうちの１つまたは複数に加えて、または代替として、さらなる実施形態では、開口部内に係合部材を受け入れることは、インターロックに力を印加して食品加工システムの電動ユニットに電力を供給することをさらに含む。
【００１５】
上記の特徴のうちの１つまたは複数に加えて、または代替として、さらなる実施形態では、蓋を容器に結合することは、ロックアセンブリのアクチュエータに力を印加する前に行われる。
【００１６】
上記の特徴のうちの１つまたは複数に加えて、または代替として、さらなる実施形態では、蓋を容器に結合することは、ロックアセンブリのアクチュエータに力を印加するのと同時に、または後に行われる。
【００１７】
上記の特徴のうちの１つまたは複数に加えて、または代替として、さらなる実施形態では、蓋を容器に結合することは、細長い係合部材が容器によって受け入れ可能であるようにロックが移動された後に行われる。
【００１８】
上記の特徴のうちの１つまたは複数に加えて、または代替として、さらなる実施形態では、アクチュエータに別の力を印加して、蓋を容器からロック解除することをさらに含み、別の力および力は同じ方向に向けられたものである。
【００１９】
上記の特徴のうちの１つまたは複数に加えて、または代替として、さらなる実施形態では、アクチュエータを第１の軸に沿って移動させることは、可視インジケータを露出させるかまたは隠す。
【００２０】
別の実施形態によれば、食品加工システムは、基部と、基部に選択的に結合するための容器とを含む。容器は、加工されるべき食品を受け入れるように寸法決めされている。容器に選択的に結合するための蓋は、アクチュエータとロックアセンブリとを含む。ロックアセンブリは、アクチュエータへの第１の力の印加に応答して、ロック解除位置からロック位置へと移動可能である。ロックアセンブリは、アクチュエータへの第２の力の印加に応答して、ロック位置からロック解除位置へと移動可能であり、第１の力および第２の力は同じ方向に印加される。
【００２１】
これらおよび他の利点および特徴は、図面と併せて以下の説明からより明らかになるであろう。
【図面の簡単な説明】
【００２２】
本開示として見なされる主題は、本明細書の最後にある特許請求の範囲において特に指摘されかつ明確に請求されている。本開示の前述および他の特徴、ならびに利点は、添付の図面と併せて以下の詳細な説明から明らかである。
【図１】食品加工システムの一例の斜視図である。
【図２】一実施形態によるロックアセンブリを有する蓋の断面図である。
【図３】一実施形態による蓋のアクチュエータを作動位置に選択的に保持するための機構の一例である。
【図４】別の実施形態によるロックアセンブリを有する蓋の断面図である。
【図５】図４の蓋のロックアセンブリのボタンおよび機構の詳細部分断面図である。
【図６】一実施形態によるロックアセンブリを有する蓋の別の断面図である。
【図７】一実施形態によるロックアセンブリを有する蓋の別の断面図である。
【図８】一実施形態による図７のロックアセンブリの機構の詳細な断面図である。
【図９】一実施形態による図７および図８のロックアセンブリの機構の斜視図である。
【図１０】一実施形態によるロックアセンブリのロックの斜視図である。
【図１１Ａ】一実施形態による作動位置および非作動位置にあるロックアセンブリの一部の断面図である。
【図１１Ｂ】一実施形態による作動位置および非作動位置にあるロックアセンブリの一部の断面図である。
【図１２】一実施形態によるロックアセンブリを有する蓋の一部の斜視図である。
【図１３】一実施形態によるロックアセンブリのロックの断面図である。
【発明を実施するための形態】
【００２３】
詳細な説明は、例として図面を参照しながら利点および特徴と共に本開示の実施形態を説明する。
図１は、本発明の一実施形態による食品加工システム２０の一例の図を示す。食品加工システム２０は、非限定的な例として、ダイシング、チョッピング、切断、スライス、混合、配合、攪拌、破砕などを含む任意の食品加工または配合作業を実施するように構成され得る。図示の食品加工システム２０は、本体またはハウジング２４を有する基部２２を含み、本体またはハウジング２４の中には、電動ユニット（図示せず）および少なくとも１つのコントローラ（図示せず）が配置されている。基部２２は、例えば本体２４内の電動ユニットによって駆動される少なくとも１つの回転カップリング（図示せず）を含む。基部２２は、さらに、電動ユニットの電源を入れたり切ったりするための、および例えばパルス、攪拌、または連続的な食品加工などの様々な動作モードを選択するための１つまたは複数のボタンまたは他の入力デバイス２８を含むコントロールパネルまたはユーザインタフェース２６を含む。
【００２４】
食品加工システム２０は、加工されるべき１つまたは複数の食品をその中に受け入れるように構成された（例えば、大きさおよび寸法が決められた）容器３０をさらに含む。容器３０は、一般に、頂部３２、底部３４、およびそれらの間に延在する１つまたは複数の壁３６を含み、内部チャンバ３８を画定し、その中に食品が配置され処理される。容器３０の頂部３２は、１つまたは複数の食品にチャンバ３８内へのアクセスを提供する開口部４０（図２）を含む。容器３０の底部３４は、チャンバ３８内に収容されている食品がそこを通って漏れ出ることができないように概して閉じられている。
【００２５】
回転可能なブレードアセンブリ４２は、食品の加工および／または攪拌を容易にするためにチャンバ３８内に配置されている。回転可能なブレードアセンブリ４２に関連付けられた駆動されるカプラ（図示せず）が、容器３０の底部の下面に近接して取り付けられている。一実施形態では、図１に示すように、容器３０は従来の容器であり、回転可能なブレードアセンブリ４２は容器３０の底部３４と一体的に形成されている。しかしながら、回転可能なブレードアセンブリ４２が容器３０の底部から延びるスピンドルまたは他の支持体（図示せず）に取り外し可能に結合されている実施形態も本明細書で企図されている。
【００２６】
基部２２は、容器３０がその上に設置されたときに、電動ユニットと回転可能なブレードアセンブリ４２とが、例えば駆動カプラと駆動されるカプラとの間の係合によって機械的に結合されるように、容器３０と結合するように構成されている。結果として、電動ユニットは、ユーザインタフェース２８の１つまたは複数の入力デバイス２９が作動された場合に、１つまたは複数の食品加工および／または攪拌操作を実行するために、回転可能なブレードアセンブリ４２の軸周りの回転を駆動するように構成され得る。
【００２７】
使用される容器３０の種類に応じて、本発明の態様は、基部２２にスライド可能にまたは回転可能に取り付けることができる容器３０を含むフードプロセッサシステム２０を対象としている。しかしながら、異なる方法で基部２２に接続する容器３０もまた本明細書で企図されることを理解されたい。一実施形態では、基部２２に対する容器３０のスライドおよび／または回転の動きは、基部２２上への容器３０の下方への動きに対して実質的に直交する方向である。容器３０は、さらに基部２２に固定され得る。
【００２８】
蓋５０は、食品加工システム２０の動作の前に、容器３０の頂部３２に取り付けられて、チャンバ３８内の食品が食品加工動作中にこぼれるのを防止するように構成されている。蓋５０は、容器の頂部にある開口部４０に単純に圧入されてチャンバ３８を覆うことができる。他の実施形態では、蓋５０は容器３０にロックされるように構成することができる。例えば、蓋５０を、容器３０上へ、回転可能なブレードアセンブリ４２によって画定される軸に沿った方向に下方に移動させることによって、蓋５０は容器３０に結合される。蓋５０が容器３０の頂部３２と位置合わせされ結合されると、追加の操作が蓋５０を容器３０にロックするために使用され得る。
【００２９】
ここで図２〜図１３を参照すると、食品加工アセンブリ２０の蓋５０がより詳細に示されている。蓋５０は、第１の端部３２に近接する容器３０の内部とほぼ相補的な形状を有する下部ハウジング５２を含む。図示のように、下部ハウジング５２は、概して中空であり、例えば射出成形プロセスなどを介して、食品に安全な材料から形成することができる。上部ハウジング５４が下部ハウジング５２に結合されて、上部ハウジング５２と下部ハウジング５４との間にキャビティ５６を画定する。ガスケット５８は、蓋５０が容器３０に結合された場合、下部ハウジング５２の周囲に延びてチャンバ３８内の内容物を密封することができる。
【００３０】
蓋５０は、蓋５０を容器３０に選択的にロックするためのロックアセンブリ６０を含む。第１の非作動位置と第２の作動位置との間の軸に沿って移動可能な露出したボタンまたはアクチュエータ６２は、ロックアセンブリ６０に関連付けられている。一実施形態では、ボタン６２が非作動位置にある場合、ボタン６２は概して蓋５０の上面６４に対して隆起しており、ボタン６２が作動位置にある場合、ボタン６２は概して蓋５０の上面６４と同一平面上にある。あるいは、ボタン６２が作動位置にある場合、ボタン６２は概して蓋５０の上面６４に対して隆起していてもよい。しかし、そのような実施形態では、ボタン６２と蓋５０の上面６４との間の距離は、ボタン６２が作動位置にある場合の方が非作動位置にある場合よりも小さい。さらに、いくつかの実施形態では、ボタン６２は、蓋５０がロックされた構成にある場合にユーザに知らせるためのウィンドウを含む。一実施形態では、ウィンドウがアイコンに直接隣接している場合にのみアイコンまたは他のインジケータがウィンドウを通して見えるように、ウィンドウは裏面にスプレーされ得る。
【００３１】
機構６６が、ボタン６２および蓋５０に動作可能に結合されており、ボタン６２を作動位置に選択的に保持する。図２および図３の非限定的な実施形態では、機構６６は、下部ハウジング５２の内面７２から上方に延びるポストまたはピン７０と係合する第１の端部６８と、ボタン６２に結合された第２の端部７４とを有するプッシュ−プッシュ機構である。作動していないボタン６２に略垂直下向きの力が印加された場合、ボタン６２の少なくとも一部がキャビティ５８内にスライド可能に受け入れられる。ボタン６２のこの動きは、プッシュ−プッシュ機構６６の内部付勢機構（図示せず）を圧縮し、機構６６を定位置にロックし、ボタン６２を作動位置に保持させる。現在、作動位置にあるボタン６２への別の略垂直下向きの力の印加は、内部付勢機構のさらなる圧縮をもたらし、それによってプッシュ−プッシュ機構６６を解放することが可能になる。付勢機構の付勢力により、ボタン６２は垂直に並進して非作動位置に戻る。
【００３２】
ここで図４〜図６を参照すると、ボタン６２を作動位置に保持するための機構６６の他の例が示されている。図示のように、機構６６は、ボタン６２の中空内部に配置されたカラー７８を含み、カラー７８に近接する下部ハウジング５２の表面７２に取り付けられたインデクサ８０を含む。一実施形態では、インデクサ８０は、カラー７８と同心円状に配置されている。カラー７８は、カラー７８によって画定される軸の周りにボタン６２に対して回転するように構成されている。インデクサ８０は、通路８４によって接続された複数の異なるポジション８２を画定する。一実施形態では、ポジション８２は、インデクサ８０の周囲に交互に高い構成と低い構成とを有する。カラー７８から延びる少なくとも１つの歯８６は、インデクサ８０の通路８４内に受け入れられている。
【００３３】
高い構成と低い構成との間の位置の違いにより、ボタン６２は、作動位置と非作動位置との間で上面６４に対して並進移動する。例えば、歯８６がインデクサ８０において画定された高い構成に配置されている場合、ボタン６２は非作動位置にあり、歯８６がインデクサ８０の低い構成に配置されている場合、ボタン６２は作動位置にある。ボタン６２に対する略垂直方向の力の印加は、カラー７８の歯８６が次の画定されたポジション８２まで回転するように、ボタン６２およびインデクサ８０に対してカラー７８を回転させる。従って、略垂直方向の力は、ボタン６２の作動および解放の両方のために動作可能である。
【００３４】
機構６６のさらに別の例が、図７〜図９の非限定的な実施形態に示されている。示されるように、機構６６は、下部ハウジング５２の表面７２に取り付けられたインデクサ８８を含む。インデクサ８８に結合されたワイヤ９０が、ボタン６２の一部に固定されている。ワイヤ９０は、第１の高位置９４と第２の低位置９６との間でインデクサ８８に形成された所定の経路９２に沿って移動可能である。略垂直下向きの力が作動していないボタン６２に印加される場合、ワイヤ９０は経路９２に沿って第１の高位置９４からインデクサ８８の底部に向かって移動する。力が解放されると、ボタン６２および／またはワイヤ９０に関連付けられた付勢機構（図示せず）がワイヤ９０を第２の低位置９６へ付勢する。別の略垂直下向きの力が、現在、作動位置にあるボタン６２へ印加される場合、ワイヤ９０は第２の位置９６から外れ、付勢機構の付勢力の結果として第１の高位置９４に達するまで経路９２をたどる。本明細書に示され説明された様々な機構６６は例としてのみ意図されており、ボタン６２を作動位置に選択的に保持するための任意の適切な機構６６は本開示の範囲内であることを理解されたい。
【００３５】
ロックアセンブリ６０は、ボタン６２と協働して蓋５０を容器３０に選択的にロックするように構成された少なくとも１つのロック１００を含む。ロック１００の一例が図１０においてより詳細に示されている。図示の非限定的な実施形態では、ロック１００は、例えばコイルばねなどの付勢機構１０６によって結合された第１の部分１０２と第２の部分１０４とを含む。一実施形態では、ロック１００の第２の部分１０４は、第１の部分１０２から離れる方向に延びる細長い係合部材１０８を含む。蓋５０が容器３０に結合される場合、係合部材１０８の遠位端は、容器３０の側壁３８に形成された開口部またはポケット１１０内に受け入れ可能である。ロック１００の第１の部分１０２および第２の部分１０４を付勢機構と接続することによって、蓋５０は、容器３０に結合された場合に既にロックされた構成であり得る。
【００３６】
ロック１００は、ロック１００の第１の部分１０２が概してボタン６２に近接するように蓋キャビティ５６内に配置される。示されるように、ロック１００の第１の部分１０２はボタン６２から分離している。しかしながら、ロック１００がボタン６２の一部に直接結合されている図１１Ａおよび図１１Ｂに示すような他の実施形態も本明細書で企図されている。例えば、図示のように、ボタン６２から延びるタブ１１２は、ロック１００の第１の部分に形成された溝１１３内にスライド可能に受け入れられてもよい。
【００３７】
図１０を再び参照して、ボタン６２が非作動位置から作動位置に移動すると、ボタン６２はロック１００に接触して力を印加する。ボタン６２の移動方向およびボタン６２によってロック１００に印加される力の方向は、略直交している。図示された非限定的な実施形態では、ロック１００と接触するように構成されたボタン６２の部分およびボタン６２によって係合されたロック１００の第１の部分１０２の表面１１４のうちの少なくとも一方は、概して傾斜している。結果として、ボタン６２によってロック１００に印加された力は、ロック１００を下部ハウジング５２内で並進させ、細長い係合部材１０８を容器３０のポケット１１０内に延ばす。
【００３８】
一実施形態では、ロック１００は、食品加工システム２０のインターロックを作動させるように構成されることもできる。図６の非限定的な実施形態に示されるように、スイッチ（図示せず）を作動させてシステム２０の電動ユニットに電力を供給するように移動可能なインターロック１１６が、例えばそのハンドル４４などの容器３０の一部内に配置されている。開口部１１０は、蓋５０が容器３０の開口端部３２に結合された場合に係合部材１０８が概してハンドル４４の方を向くようにハンドル４４に形成されてもよい。ボタン６２を作動させると、ロック１００が下部ハウジング５２に対してスライドし、係合部材１０８が開口部１１０を通って延び、インターロック１１６またはインターロック１１６に結合されたリンクに接触する。そのような実施形態では、係合部材１０８によってインターロック１１６に印加される水平方向の力は、インターロック１１６の垂直方向の動きに変換される。この垂直方向の動きは、力を印加してスイッチ（図示せず）を閉じ、それによって電動ユニットに電力を供給するための回路が完成する。
【００３９】
図７に示す別の実施形態では、食品加工システム２０のインターロック１１６を作動させるように構成されたロック１００は、互いに回転可能に結合された第１の部分１０２と第２の部分１０４とを含む。そのような実施形態では、ボタン６２を作動させると、ロック１００の第１の部分１０２が下部ハウジング５２に対してスライドする。第１の部分１０２のスライド移動は、第２の部分１０４に回転力を印加し、ロック１００の係合部材１０８を、容器３０に形成された開口部１１０を介して回転させ、インターロック１１６またはインターロック１１６に結合されたリンクと接触させるように構成されている。本明細書に記載のインターロック１１６と相互作用するように構成されたロック１００は、単なる例として意図されており、他の構成も本開示の範囲内である。
【００４０】
ここで図１２および図１３を参照すると、ロックアセンブリ６０は、ボタン６２に関連付けられた複数のロック１００を含み得る。複数のロック１００は実質的に同一であってもよく、あるいは異なってもよい。図１３の非限定的な実施形態では、ロックアセンブリ６０のロック１００のうちの少なくとも１つは、蓋５０が所望の向きで容器３０に結合されていない限り、ロックアセンブリ６０がロックされるのを防止するように構成されたポカヨケ（poka-yoke）ロックである。示されるように、ロック１００は、細長い係合部材１０８を有する本体１０２を含む。付勢機構１０６が、本体１０２の一部と下部ハウジング５２の対応する部分との間に配置されている。付勢機構１０６は、細長い係合部材１０８が蓋５０から外向きに延びる伸長位置へ本体１０２を付勢するように構成されている。本体１０２は、さらに、ボタン６２の一部と協働して非作動位置と作動位置との間のボタン６２の移動を制御するように構成されたボタンストップ１２０を含む。本体１０２が付勢された位置にある場合、ボタンストップ１２０はボタン６２と接触してボタン６２の動きを制限する。本体１０２が内側に並進する場合、ボタンストップ１２０はボタン６２との係合から外れて移動され、それによってボタン６２の作動を可能にする。
【００４１】
ポカヨケロック１００に概して近接する容器３０の一部は、本体１０２の係合部材１０８と協働するように構成された、例えば傾斜面などの機構１２２を含む。傾斜面１２２と係合部材１０８との間の相互作用は、ロック本体１０２を徐々に引き込まれた位置へ押し進める。蓋５０が正しい向きで容器３０に取り付けられた場合にのみ、機構１２２は必要な力を係合部材１０８に印加して、ボタン６２を作動させることができる位置に本体を移動させる。
【００４２】
本明細書に示され説明されている食品加工システムは、蓋５０を容器３０にロックするだけでなく、インターロック１１６を係合するために単一の機構動作に依存している。さらに、蓋のロックを解除するために同じ機械的動作に依存している。この相互作用の非凡な点は、より直感的であり、偏りがなく、低い活性化力しか必要とせず、これらが組み合わさって強化された、よりユーザフレンドリーな体験を生み出す。
【００４３】
本開示は限られた数の実施形態のみに関連して詳細に説明されているが、本開示がそのような開示された実施形態に限定されないことは容易に理解されるであろう。むしろ、本開示は、これまで説明していないが本開示の技術思想および範囲に相応する、任意の数の変形、変更、置換または均等の構成を組み込むように修正することが可能である。さらに、本開示の様々な実施形態を説明してきたが、本開示の態様は、説明した実施形態のうちのいくつかのみを含み得ることが理解されるべきである。従って、本開示は、前述の説明によって限定されると見なされるべきではなく、添付の特許請求の範囲によってのみ限定される。
【図１】
2020505110.tif 000003
【図２】
2020505110.tif 000004
【図３】
2020505110.tif 000005
【図４】
2020505110.tif 000006
【図５】
2020505110.tif 000007
【図６】
2020505110.tif 000008
【図７】
2020505110.tif 000009
【図８】
2020505110.tif 000010
【図９】
2020505110.tif 000011
【図１０】
2020505110.tif 000012
【図１１Ａ】
2020505110.tif 000013
【図１１Ｂ】
2020505110.tif 000014
【図１２】
2020505110.tif 000015
【図１３】
2020505110.tif 000016
【国際調査報告】
2020505110.tif 000017
2020505110.tif 000018
2020505110.tif 000019